(57)【要約】【課題】  ディジタルカメラで撮影された電子画像を、テレビに高速かつ撮影シーンに最適な画像表示する。【解決手段】  ディジタルカメラ１の撮影部１１ａで撮影された画像データに、撮影情報付加部１１ｂで撮影時の撮影情報を付加した電子ファイルに変換して画像ファイル記憶部１３に記憶する。画像ファイル記憶部１３から読み出された画像ファイルは、画像ファイル変換部１４にてテレビ３に適した画像サイズの映像データと、撮影情報を含む映像付加データに変換され、データ伝送ケーブル２を介してテレビ３の画像処理部３１に伝送される。画像処理部３１では、映像データが映像付加データに基づいた表示データに変換され画像表示部３３に表示される。【選択図】          図１
2010103607.tif 000002
【特許請求の範囲】
【請求項１】
電子画像を撮影し、撮影画像データ出力する電子画像撮影手段と、前記撮影画像データに電子画像撮影時の撮影情報を付加して画像ファイルに変換する撮影情報付加手段と、
前記画像ファイルを記憶する画像ファイル記憶手段と、画像サイズを変換するスケーリング手段により前記画像ファイル記憶手段に記憶されている前記画像ファイルの画像データを映像データに変換し、前記撮影画像データと撮影情報を含む映像付加データに変換する画像ファイル変換手段とを備えたディジタルカメラと、
前記映像データを前記映像付加データに基づいて表示データに変換する画像処理手段と、前記表示データに基づいて画像を表示する画像表示手段とを備えたテレビと、
前記ディジタルカメラから前記テレビに前記映像データと前記映像付加データを伝送するデータ伝送手段と
を備えることを特徴とする画像表示システム。
【請求項２】
請求項１に記載の画像表示システムで使用するディジタルカメラであって、
電子画像を撮影し、撮影画像データ出力する電子画像撮影手段と、
前記撮影画像データに電子画像撮影時の撮影情報を付加して画像ファイルに変換する撮影情報付加手段と、
前記画像ファイルを記憶する画像ファイル記憶手段と、
前記画像ファイル記憶手段に記憶されている前記画像ファイルを映像データと映像付加データに変換する画像ファイル変換手段と
を備えることを特徴とするディジタルカメラ。
【請求項３】
前記画像ファイル変換手段は、前記テレビの表示画像サイズを取得する手段を備え、前記スケーリング手段にて、前記画像ファイルの画像データを前記テレビの表示画像サイズに拡大または縮小することを特徴とする請求項２に記載のディジタルカメラ。
【請求項４】
前記映像付加データは、撮影日時情報と圧縮率情報と圧縮方法情報とレンズの絞り値情報とシャッタースピード情報と画像の拡大縮小率情報と白のｘｙ値情報と色温度情報と拡張色空間の使用情報とガンマ特性情報と機器の識別信号と撮影シーン情報のうち少なくとも１つを含む事を特徴とする請求項２または請求項３に記載のディジタルカメラ。
【請求項５】
請求項１に記載の画像表示システムで使用するテレビであって、
前記映像データを前記映像付加データに基づいて表示データに変換する画像処理手段と、
前記表示データに基づいて画像を表示する画像表示手段と
を備えることを特徴とするテレビ。
【請求項６】
前記画像処理手段は、前記映像付加データに含まれた画像の圧縮率情報に基づいてノイズ除去量の強度を調節して、前記映像データのノイズ除去処理を行うノイズ除去手段を備えたことを特徴とする請求項５に記載のテレビ。
【請求項７】
前記ノイズ除去手段は、前記映像付加データに含まれた画像の圧縮方法情報がＪＰＥＧの時、ブロックノイズ除去の強度を調節してブロックノイズを除去するブロックノイズ除去処理を行うことを特徴とする請求項６に記載のテレビ。
【請求項８】
前記ノイズ除去手段は、前記映像付加データに含まれた画像の拡大率又は縮小率情報に基づいて境界を検出する際のブロックサイズを設定し、前記映像データにブロックノイズ除去処理を行う事を特徴とする請求項７に記載のテレビ。
【請求項９】
前記ノイズ除去手段は、前記映像付加データに含まれた撮影シーン情報に基づいてノイズ除去の強度を調節して、前記画像信号にノイズ除去処理を行うことを特徴とする請求項６に記載のテレビ。
【請求項１０】
前記ノイズ除去手段は、前記映像付加データに含まれたレンズの絞り値情報に基づいてノイズ除去の強度を調節して、前記画像信号にノイズ除去処理を行う事を特徴とする請求項６に記載のテレビ。
【請求項１１】
前記ノイズ除去手段は、前記映像付加データに含まれたシャッタースピード情報に基づいてノイズ除去の強度を調節して、前記画像信号にノイズ除去処理を行う事を特徴とする請求項６に記載のテレビ。
【請求項１２】
前記画像処理手段は、前記映像付加データに含まれた画像の拡大率縮小率情報に基づいて輪郭補正の強度を調節して、前記映像データに輪郭補正処理を行う輪郭補正手段を備えることを特徴とする請求項５に記載のテレビ。
【請求項１３】
前記画像処理手段は、前記映像付加データに含まれた画像の縮小率情報に基づいてアンチエイリアシングの強度を調節して、前記画像信号にアンチエイリアシング処理を行うアンチエイリアシング手段を備えることを特徴とする請求項５に記載のテレビ。
【請求項１４】
前記画像処理手段は、前記映像付加データに含まれた画像の白のｘｙ値、又は色温度情報に基づいて、前記映像データにホワイトバランス調整を行うホワイトバランス調整手段を備えること特徴とする請求項５に記載のテレビ。
【請求項１５】
前記画像処理手段は、前記映像付加データに含まれた拡張色空間の使用情報に基づいて、前記画像信号にｘｖＹＣＣ対応モードに補正を行うカラーマネジメント手段を備えること特徴とする請求項５に記載のテレビ。
【請求項１６】
前記画像処理手段は、前記に含まれた撮影シーン情報に基づいて色補正を行うカラーマネジメント手段を備えることを特徴とする請求項５に記載のテレビ。
【請求項１７】
前記画像処理手段は、前記映像付加データに含まれたディジタルカメラの識別信号に基づいて、前記映像データにｓＲＧＢ規格に則って色補正を行うカラーマネジメント手段を備えることを特徴とする請求項５に記載のテレビ。
【請求項１８】
前記画像処理手段は、前記映像付加データに含まれた撮影シーン情報に基づいてガンマ補正を行うガンマ補正手段を備えることを特徴とする請求項５に記載のテレビ。
【請求項１９】
前記画像処理手段は、前記映像付加データに含まれた画像のガンマ特性情報に基づいて、前記映像データにガンマ補正を行うガンマ補正手段を備えることを特徴とする請求項５に記載のテレビ。
【請求項２０】
前記画像処理手段は、前記映像付加データに含まれたデジカメの識別信号に基づいて、前記映像データにｓＲＧＢ規格に則ってガンマ補正を行うガンマ補正手段を備えることを特徴とする請求項５に記載のテレビ。
【請求項２１】
前記画像処理手段は、前記映像付加データに含まれた画像の圧縮率に基づいて階調拡大条件を調節し、前記映像データを階調拡大する階調拡大手段を備えることを特徴とする請求項５に記載のテレビ。
【発明の詳細な説明】
【技術分野】
【０００１】
本発明は、画像表示システム、ディジタルカメラ、テレビに関する。本発明は、ディジタルカメラで撮影した電子画像をテレビ画面に表示する技術に関するものである。
【背景技術】
【０００２】
近年において、ディジタルカメラの普及は目覚しく多くの者に利用されている。一般に、ディジタルカメラによる撮影により得られた電子画像の鑑賞は、パーソナルコンピュータ（ＰＣ）を用いて行われている。この場合、例えば、ディジタルカメラとＰＣをＵＳＢ（Universal Serial Bus）等のケーブルを介して接続し、ＰＣ上で動作する画像閲覧用等のソフトウェアによって、電子画像の鑑賞が可能になる。
また最近では、電子画像の鑑賞を、テレビジョン受像機（テレビ）を用いて行われることも多い。この場合、ディジタルカメラとテレビをビデオケーブルで接続し、テレビの画面上に電子画像を表示することが可能となる。
【０００３】
ディジタル画像の再生画質（電子画像の表示画質）を高めるために、撮影情報をディジタル画像に付与し、再生時にその撮影情報を使用して画質を高めるための画像処理を行うものがある（例えば、特許文献１参照）。更に、記録媒体（例えばＳＤカード）に圧縮された電子画像を、テレビ側で復元（デコード）して表示することも可能となっている。特許文献１には、メモリカードが挿抜できるカードスロットを備え、メモリカードから電子画像を読み込むようにしたものがある（例えば、特許文献２参照）。
【０００４】
【特許文献１】特開平１０−１９１２４６（段落００１６、図１）
【特許文献２】特開２００５−１７５８６３（段落００２１、図１）
【発明の開示】
【発明が解決しようとする課題】
【０００５】
しかしながら、近年の電子画像のデータ量は飛躍的に大きくなっており、テレビ側のデコーダが電子画像のデータ量に対して十分な性能を持っていないため、上記従来の技術では、電子画像のデコードに時間がかかるという問題があった。また、ディジタルカメラとテレビをビデオケーブルで接続した場合は、電子画像のみがテレビに送られる為、通常のテレビの画像処理が行われ、電子画像によっては表示画像が明るくなりすぎたり、暗くなりすぎたりすることがあった。また、電子画像によっては、的確な色を表示できない場合があった。また、電子画像に適さないノイズ処理を行い、ノイズが除去できないこともあった。
【０００６】
本発明は、上記に鑑みてなされたものであって、テレビ画面にディジタルカメラで撮影された大容量の電子画像でも高速に表示し、電子画像に的確な明るさや色、ノイズの無い画像を表示する事を目的とする。
【課題を解決するための手段】
【０００７】
本発明に係わる画像表示システムは、電子画像を撮影し、撮影画像データ出力する電子画像撮影手段と、前記撮影画像データに電子画像撮影時の撮影情報を付加して画像ファイルに変換する撮影情報付加手段と、前記画像ファイルを記憶する画像ファイル記憶手段と、画像サイズを変換するスケーリング手段により前記画像ファイル記憶手段に記憶されている前記画像ファイルの画像データを映像データに変換し、前記撮影画像データと撮影情報を含む映像付加データに変換する画像ファイル変換手段とを備えたディジタルカメラと、前記映像データを前記映像付加データに基づいて表示データに変換する画像処理手段と、前記表示データに基づいて画像を表示する画像表示手段とを備えたテレビと、前記ディジタルカメラから前記テレビに前記映像データと前記映像付加データを伝送するデータ伝送手段とを備えることを特徴とする。
【発明の効果】
【０００８】
この発明によれば、ディジタルカメラで撮影され圧縮記録された電子画像を、ディジタルカメラの高速なデコード部とスケーリング部によって映像データに変換してテレビに伝送するので、テレビ側では画素サイズ変換を行わなくても良く、更に、撮影情報を基にテレビの画像処理回路の画像処理制御を行うようにしたので、テレビ画面にディジタルカメラで撮影された大容量の電子画像でも高速に表示し、電子画像に適した色や明るさ、ノイズの無い画像を表示することが出来るという効果がある。
【発明を実施するための最良の形態】
【０００９】
以下に、本発明に係る画像処理方法、画像処理装置、および画像表示システムの実施の形態を図面に基づいて詳細に説明する。
【００１０】
実施の形態１．
図１は、本発明の実施の形態１に係る画像表示システムの構成を示す図である。本実施例の画像表示システムは、ディジタルカメラ１とテレビ３とディジタルカメラ１で記憶している電子画像をテレビ３に伝送するデータ伝送ケーブル２を有する。
【００１１】
ディジタルカメラ１は従来のディジタルカメラと同様、電子画像取得部１１を有する。電子画像取得部１１の撮影部１１ａは撮影を行うための光学系、撮像素子、制御回路及び信号処理回路など（図示せず）で、撮影情報付加部１１ｂは撮影部１１ａから出力される画像データ１２ａに撮影情報を画像付加データ１２ｂとして付加するものである。画像付加データ１２ｂには、撮影条件に関するデータと撮影シーンに関するデータがある。
【００１２】
撮影条件に関するデータは、ディジタルカメラ側で記録する画像データを取得時（撮影時）の情報であり、
（１）カメラ固有の撮影情報：レンズ絞り値、シャッタースピード、レンズ焦点距離、ガンマ特性
（２）撮影状況：フォーカス距離、フォーカス位置（撮影対象内でフォーカスを合わせる位置）、周囲光の種類や強さ、フラッシュの使用状況、天候、撮影の方向（縦方向か横方向)、白のｘｙ値、色温度
（３）撮影時の設定：撮影日時、画像ファイル名、撮影の画像サイズ、撮影品質、圧縮方法、圧縮率、拡張色空間情報
などがある。
撮影時のガンマ特性は、カメラの入力光量に対する出力電圧の比を表すガンマ特性であり、画像データのコントラストに影響する。カメラによってそのガンマ特性は異なることが多いので、画像データをテレビ側で表示データに変換する際に特に重要な情報になる。
【００１３】
撮影シーンに関するデータは、被写体に適した撮影条件を表す情報であり、一般的に次のような撮影モードで示されることが多い。例えば、夕焼けモード、人物モード、風景モード、スポーツモード、夜景モードなどが代表的である。設定されたモードによって自動的に露出、ガンマ補正などの撮影条件が設定される。近年では、撮影時に自動的に撮影シーンを判別して、自動的に撮影条件を設定するカメラもある。このように、設定された撮影シーン情報や自動的に判別された撮影シーン情報とそのシーンで設定された撮影条件を画像データの付加データとする。
【００１４】
画像データ１２ａと画像付加データ１２ｂは、画像ファイル記憶部１３で内蔵メモリやメモリカードなどの記憶媒体に図２に示すように画像ファイル１２として記憶される。
【００１５】
ディジタルカメラ１は、画像ファイル変換部１４を有しており、デコード部１４ａにて画像データ１２ａをデコードし、スケーリング部１４ｂにて、デコードした映像データ２１ａをテレビ３で表示する画像サイズに拡大・縮小する。さらに、付加データ変換部１４ｃにて、スケーリング部１４ｂによる拡大率・縮小率を画像付加データ１２ｂの付加情報に追加して、映像データ２１の付属情報である映像付加データ２１ｂとする。
【００１６】
画像ファイル変換部１４から出力された映像データ２１ａと映像付加データ２１ｂは、ディジタル信号を高速に伝送するデータ伝送ケーブル２を介してテレビ３に伝送される。このデータ伝送ケーブル２としてＨＤＭＩ（High-Definition Multimedia Interface）規格のケーブルを使用するものとして説明する。ＨＤＭＩ規格のケーブルは、１本のケーブルで、映像や音声、さらにディジタルカメラ１とテレビ３の交互制御信号を伝送することができるものである。
【００１７】
ディジタルカメラ１から伝送ケーブル２にてテレビ３へ伝送された映像データ２１ａと映像付加データ２１ｂは、テレビ３の画像処理部３１に入力される。画像処理部３１は、映像データ２１ａを映像付加データ２１ｂに基づいて、ガンマ補正やノイズ除去、カラーマネジメントなど画像処理を行い、表示データ３２とする。表示データ３２は、画像表示部３２にてテレビ画面に表示する。
【００１８】
以下、テレビ３の画像処理部３１について、詳しく説明する。図３に示すように、本実施の形態における画像処理部３１は、ノイズを除去するノイズ除去回路３１ａ、輪郭を補正する輪郭補正回路３１ｂ、斜め線などに発生するギザギザ（ジャギ）を目立たなくするアンチエイリアシング回路３１ｃ、ＲＧＢのゲインを変えてホワイトバランス調整をするホワイトバランス回路３１ｄ、色空間の変換や色毎に色相調整および飽和度調整および輝度調整ができるカラーマネジメント回路３１ｅ、ガンマの調整を行うガンマ補正回路３１ｆ、階調拡大を行う階調拡大回路３１ｇを備えられているものとする。また、画像に文字などを重ねて表示画像を作成するＯＳＤ回路３１ｈが備えられている。
【００１９】
ノイズ除去回路３１ａは、画像にラインダムに発生するノイズの除去を行うランダムノイズ除去、ＪＰＧファイルなどにみられるブロックノイズを除去するブロックノイズ除去、エッジや色の変化の激しい部分に現れるモスキートノイズ除去を備えている。画像付加データ２１ｂに含まれる、圧縮方法、圧縮率、撮影シーン、レンズ絞り値、シャッタースピードの情報に基づき、ノイズ除去の種類と強さを可変し、拡大率・縮小率の情報に基づきブロックノイズ除去する場合のブロック境界検出サイズの調整を行う。
【００２０】
例えば、映像付加データ２１ｂの圧縮方法がＪｏｉｎｔ  Ｐｈｏｔｏｇｒａｐｈｉｃ  Ｅｘｐｅｒｔｓ  Ｇｒｏｕｐ（ＪＰＥＧ）の場合、映像データ２１ａにノイズ除去回路３１ａは、ブロックノイズ除去とモスキートノイズ除去を行う。また、圧縮率が小さい場合は、ブロックノイズやモスキートノイズが多く発生しやすいので、ノイズ除去の強度を強くする。
【００２１】
また、映像付加データ２１ｂの撮影シーンが夜景モードの場合やレンズの絞り値が大きい場合、シャッタースピードが遅い場合は、ランダムなノイズが発生しやすい為、ランダムノイズ除去の強さを強くする。
【００２２】
さらに、映像付加データ２１ｂの拡大率・縮小率情報は、ノイズ除去回路３１ａでブロック境界検出をする際のブロックサイズを決定する。ＪＰＥＧで圧縮された画像ファイル１２の場合、８×８画素の固定サイズのブロックに分割し、そのブロック単位で周波数領域へ変換され圧縮されている。このため８×８画素のブロックの境界にはブロックノイズと呼ばれるノイズが生じるので、このブロックノイズを除去するにはブロックの境界を検出して境界部分に処理を行う必要がある。しかしながら、ディジタルカメラ１の画像ファイル変換部１４のスケーリング部１４ｂで拡大縮小されるとこのブロックサイズが変更されてしまうため、拡大率・縮小率に基づいてブロックサイズを算出し、映像データ２１ａのブロックの境界を検出しなければならない。例えば、映像付加データ２１ｂの拡大率・縮小率情報が水平拡大率：１／２倍、垂直拡大率：１／２倍の場合、ブロックノイズは、４×４画素、水平拡大率：２倍、垂直拡大率：２倍の場合、ブロックサイズは１６×１６画素となる。
【００２３】
輪郭補正回路３１ｂは、画像にメリハリをつけるために画像の輪郭を強調する回路である。映像付加データ２１ｂに含まれる拡大率・縮小率情報に基づき、輪郭補正の強度を調整する。一般的には、画像を拡大率が大きいと、画像がぼやける為、輪郭補正を強くする。
【００２４】
アンチエイリアシング回路３１ｃは、画像の斜め線や曲線部分に発生するジャギを目立たなくする回路である。映像付加データ２１ｂに含まれる縮小率情報に基づき、アンチエイリアシングの強度を調整する。一般的には、画像の縮小率が高いと斜め線部分にジャギが発生する為、アンチエイリアシングを強くする。
【００２５】
ホワイトバランス回路３１ｄは、Ｒ，Ｇ，Ｂのゲインを調整してホワイトバランスを調整する回路である。映像付加データ２１ｂに含まれる白のｘｙ値情報および色温度情報に基づき、テレビ３のホワイトバランス調整を行う。テレビ３のホワイトバランス調整をディジタルカメラ１で調整したホワイトバランスと同じにする事によって、テレビ３は適切な色で画像を表示することが出来る。
【００２６】
カラーマネジメント回路３１ｅは、色ごとに色相・飽和度調整・輝度を調整する回路である。映像付加データ２１ｂに含まれる拡張色空間、撮影シーン情報に基づき、色補正を行う。
例えば、映像付加データ２１ｂの拡張色空間情報が『拡張色空間使用』の場合、ｘｖＹＣＣ対応に色補正を行う。
また、映像付加データ２１ｂの撮影シーン情報に基づき、撮影シーンに適した色補正を行う。例えば、人物を撮影した『人物モード』の場合、人物の肌部分を肌色記憶色補正する。これによって肌色の美しい人物画像をテレビ３に表示することが出来る。
【００２７】
ガンマ補正回路３１ｆは、ガンマ値の補正およびガンマカーブの調整を行う回路である。映像付加データ２１ｂに含まれる撮影時のガンマ特性、および撮影シーン情報に基づき、ガンマ補正を行う。例えば、撮影シーンに適したガンマカーブを選択した後、撮影時のガンマ特性情報（ガンマ係数）を考慮してガンマカーブを調整する。
【００２８】
また、カラーマネジメント回路３１ｅとガンマ補正回路３１ｆで、映像付加データ２１ｂのディジタルカメラ画像の識別情報で映像データ２１ａがディジタルカメラの画像である場合、ｓＲＧＢ対応の表示データ３２に変換する。これによって、テレビ３で意図した色の再現をすることが出来る。
【００２９】
階調拡大回路３１ｇは、ｎビットからｍビットの階調拡大を行う回路である。ｎビットは映像データ２１ａの階調ビット数、ｍビットは表示データ３２の階調ビット数である。表示データ３２の階調ビット数ｍはテレビ３の表示できる階調で決定している。映像付加データ２１ｂに含まれる圧縮率に基づき、ｎに係る条件値を可変し階調拡大を行う。一般的に、圧縮率が大きいほど実質的な階調が小さくなると考えられるため、ｎが小さいときと同様の条件で階調拡大を行う。
【００３０】
ＯＳＤ回路３１ｇは、画像に文字情報などを重ねる回路である。映像付加データ２１ｂに含まれる撮影日時や画像ファイル名に基づき、映像データ２１ａに撮影日時や画像ファイル名の情報を表示データ３２に重ねることができる。
【００３１】
以上、画像処理部３１の動作について説明したが、映像付加データ２１に含まれる撮影シーンが夜景モードの場合について詳細動作を説明する。
図５は夜景画像のガンマ補正の一例を説明する図である。図５Ａに示す夜景画像にガンマ補正処理する場合、夜景の画像という情報が無ければ画像処理回路部３１は暗い映像と判断して、図５Ｂ−１に示すような暗い部分を明るくするガンマ補正を行うので、黒が浮いた夜景画像になってしまう。一方、夜景の画像という情報があれば、図６Ｂ−２に示すような暗い部分を暗いままで、明るい部分を明るくするガンマ補正が適切であると判断してガンマ補正を行うので、鮮やかな夜景画像を再現することが出来る。
【００３２】
さらに、映像付加データ２１に含まれる撮影シーンが夜景モードという情報から、テレビ３の画像処理回路部３１のノイズ除去処理回路３１ａのノイズ除去特性を決定することができる。一般的に夜景の場合、映像データ２１ａはノイズが多いので、ノイズ除去強度を強く設定してノイズ除去した方が好ましい夜景画像が得られる。
【００３３】
なお、本実施の形態では、撮影シーンが夜景モードの場合について説明したが、シーンによって処理は異なる。図７に、風景、人物、夜景、スポーツ、接写の各シーンに対応したガンマ補正特性、ノイズ除去強度、カラーマネジメント処理の組み合わせの一例を示す。
【００３４】
なお、本実施の形態では、データ伝送ケーブルとしてＨＤＭＩ規格のケーブルでの伝送について説明したが、例えば非圧縮無線伝送でも同様の効果がある。
【００３５】
このように、ディジタルカメラで画像ファイルから変換されたベースバンド映像データと撮影情報のデータとをテレビに高速伝送し、テレビに搭載された画像処理回路にてベースバンド映像データに撮影情報に基づいた画像処理を施すことで、ディジタルカメラに記録された画像をテレビ画面に高速に、かつ、適切な画質調整がなされた画像として表示できる。
【００３６】
実施の形態２．
図８は、本発明の実施の形態２に係る画像表示システムの構成を示す図である。図８の各構成要素のうち図１に示す実施の形態１の画像表示システムと同一機能を有する構成要素については同一番号を付しており、重複する説明は省略する。
【００３７】
本実施の形態の画像表示システムは、ディジタルカメラ１とテレビ３とディジタルカメラ１とテレビ３を互いに制御するデータ伝送ケーブル２とテレビ３に付属するリモコン４により構成される。なお、データ伝送ケーブル２は、実施の形態１と同様に、ＨＤＭＩ規格のものを使用している。
【００３８】
実施の形態２の図７が実施の形態１の図１と異なるのは、テレビ３から、あるいはテレビリモコン４を介してテレビ３からディジタルカメラ１を制御できる点である。
【００３９】
図７において、ユーザによりテレビリモコン４の操作部４１にてディジタルカメラの制御を行う操作が行われると、その制御信号４２がリモコン送信部４３から電波信号４４として送信され、テレビ３のリモコン受信部３４にて受信される。リモコン受信部３４にて受信された制御信号は、操作部３５からデータ伝送ケーブル２を経由して、カメラ制御部１５に伝送される。同時に操作部３５は、テレビ３に表示するカメラ制御用のメニュー信号３６をテレビ３の画像処理部３１に入力し、画像処理部３１は、ＯＳＤ処理を行い画像表示部３３にて表示する。また、テレビ３の操作部３５にて操作が行われる場合も同様に、データ伝送ケーブル２を経由して、カメラ制御部１５に伝送される。ディジタルカメラ制御部１５は、制御信号の指示に従いディジタルカメラ１内の処理を行う。
【００４０】
テレビリモコン４からの制御内容は、例えばディジタルカメラ１の電源のオン又はオフ、スライドショー、サムネイル表示、画像の拡大・縮小、画像の回転などである。
【００４１】
以下、図８によりテレビリモコン４によるディジタルカメラ１の制御について具体的に説明する。テレビリモコン４に設けられたメニューボタンを操作すると、テレビ３に『メニューを表示』という制御信号が送信される。この『メニューを表示』という制御信号によって、テレビ３の中でカメラ制御用に作成されたメニューが起動し表示される。そのメニュー中から、例えば上下左右キーで『スライドショー』を選択し決定キーを操作すると、データ伝送ケーブル２を通って『スライドショー』という制御信号がディジタルカメラ１に伝送される。ディジタルカメラ１は『スライドショー』という制御信号を受け、スライドショーを実施する。このディジタルカメラ１で起動されたスライドショーが、映像データ２１ａに変換され、データ伝送ケーブル２を通ってテレビ３に表示される。
【００４２】
以上のように、ディジタルカメラとカメラをＨＤＭＩ規格のような画像データと制御データの双方向伝送ケーブルにて接続し、テレビリモコンから、テレビの中に設けられたディジタルカメラ用の制御画面を操作し、ディジタルカメラを制御することによって、テレビリモコン１つでテレビとディジタルカメラを操作することが可能となる。
【図面の簡単な説明】
【００４３】
【図１】本発明の実施の形態１に係る画像表示システムの構成を示す図である。
【図２】本発明の実施の形態１に係る画像ファイルを示す図である。
【図３】本発明の実施の形態１に係る画像処理回路を示す図である。
【図４】本発明の実施の形態１に係る画像処理回路の処理内容を示す図である。
【図５】本発明の実施の形態１に係る夜景シーンの画像処理の例を示す図である。
【図６】本発明の実施の形態１に係る撮影シーンの画像処理の例を示す図である。
【図７】本発明の実施の形態２に係る画像表示システムの構成を示す図である。
【図８】本発明の実施の形態２に係る画像表示システムの具体的な操作を示す図である。
【符号の説明】
【００４４】
１  ディジタルカメラ、  １１  電子画像取得部、  １１ａ  撮影部、  １１ｂ  撮影情報付加部、  １２  画像ファイル、  １２ａ  画像データ、  １２ｂ  画像付加データ、  １３  画像ファイル記憶部、  １４  画像ファイル変換部、  １４ａ  デコード部、  １４ｂ  スケーリング部、  １４ｃ  付加データ変換部、  １５  カメラ制御部、  １６  カメラ制御信号、  ２  データ伝送ケーブル、  ２１ａ  映像データ、  ２１ｂ  映像付加データ、  ２１ｃ  制御信号、  ３  テレビ、  ３１  画像処理部、  ３２  表示データ、  ３３  画像表示部、  ３４  リモコン受信部、  ３５  操作部、  ３６  メニュー信号、  ４  リモコン、  ４１  操作部、  ４２  操作信号、  ４３  リモコン送信部、  ４４  電波信号。
【図１】
2010103607.tif 000003
【図２】
2010103607.tif 000004
【図３】
2010103607.tif 000005
【図４】
2010103607.tif 000006
【図５】
2010103607.tif 000007
【図６】
2010103607.tif 000008
【図７】
2010103607.tif 000009
【図８】
2010103607.tif 000010